(57)【特許請求の範囲】
【請求項１】
複数の無線基地局と、これら複数の無線基地局に接続され前記複数の無線基地局を制御する基地局制御装置を備えて構成されるセルラ無線通信ネットワークシステムにおいて、
前記無線基地局は、無線通信エリアであるセルの１つあるいは複数個を収容し、前記１または複数のセル毎に、１つの物理セル識別子と１つのセルグローバル識別子とを対応付けたＮＣＲリストと、隣接セル関係のＮＣＲリストの設定処理を行う自動隣接関係設定処理手段とを有し、
前記基地局制御装置は、複数のセルの構成情報を一元管理するセルＤＢと、隣接セル関係のＮＣＲリストを一元管理するＮＣＲＤＢと、前記セルＤＢ及びＮＣＲＤＢを管理制御し、前記無線基地局のセルに前記物理セル識別子及び前記ＮＣＲリストを設定する基地局データ管理制御手段とを有し、
前記基地局制御装置の基地局データ管理制御手段は、
あるセルの周囲の電波環境に応じてそのセルの隣接セル関係を示すＮＣＲリストを作成する機能を有し、該ＮＣＲリストを作成する機能が、前記あるセルの物理セル識別子を選択する際に、前記作成したセルの隣接セル関係を示すＮＣＲリストの中で、すでに電波の発射を開始している無線基地局の選択対象セルの隣接セル関係を示すＮＣＲリストに含まれるセルの物理セル識別子を物理セル識別子の選択候補から外して、前記あるセルの物理セル識別子を選択し、その際に、前記物理セル識別子を物理セル識別子の選択候補から外す条件に該当するか非該当か、もしくは条件に該当する回数によって、物理セル識別子に選択優先度を付与して、その選択優先度に従って前記あるセルの物理セル識別子を選択する
ことを特徴とするセルラ無線通信ネットワークシステム。
【請求項２】
複数の無線基地局と、これら複数の無線基地局に接続され前記複数の無線基地局を制御する基地局制御装置を備えて構成されるセルラ無線通信ネットワークシステムにおいて、
前記無線基地局は、無線通信エリアであるセルの１つあるいは複数個を収容し、前記１または複数のセル毎に、１つの物理セル識別子と１つのセルグローバル識別子とを対応付けたＮＣＲリストと、隣接セル関係のＮＣＲリストの設定処理を行う自動隣接関係設定処理手段とを有し、
前記基地局制御装置は、複数のセルの構成情報を一元管理するセルＤＢと、隣接セル関係のＮＣＲリストを一元管理するＮＣＲＤＢと、前記セルＤＢ及びＮＣＲＤＢを管理制御し、前記無線基地局のセルに前記物理セル識別子及び前記ＮＣＲリストを設定する基地局データ管理制御手段とを有し、
前記基地局制御装置の基地局データ管理制御手段は、
あるセルの周囲の電波環境に応じてそのセルの隣接セル関係を示すＮＣＲリストを作成する機能を有し、該ＮＣＲリストを作成する機能が、前記あるセルの物理セル識別子を選択する際に、前記作成したセルの隣接セル関係を示すＮＣＲリストの中で、すでに電波の発射を開始している無線基地局の選択対象セルの隣接セル関係を示すＮＣＲリストに含まれるセルの物理セル識別子を物理セル識別子の選択候補から外して、前記あるセルの物理セル識別子を選択し、その際に、新設またはＰＣＩを変更しようとする前記あるセルに対し仮の物理セル識別子を設定して前記あるセルを有する無線基地局から電波の発射が行われた後に、前記隣接セル関係を示すＮＣＲリストの更新を行い、前記仮の物理セル識別子を物理セル識別子の選択候補から外す
ことを特徴とするセルラ無線通信ネットワークシステム。
【請求項３】
前記隣接セル関係を示すＮＣＲリストの中で、前記選択対象セルのデータをＮＣＲリストに含む隣接セル関係を示すＮＣＲリストに含まれるセルの物理セル識別子を物理セル識別子の選択候補から外すことを特徴とする請求項１または２記載のセルラ無線通信ネットワークシステム。
【請求項４】
前記選択対象セルのデータをＮＣＲリストに含む隣接セル関係を示すＮＣＲリストが属するセルの物理セル識別子を物理セル識別子の選択候補から外すことを特徴とする請求項１または２記載のセルラ無線通信ネットワークシステム。
【請求項５】
前記基地局制御装置の基地局データ管理制御手段は、
設定対象セルをＮＣＲリストに含む隣接セル関係を示すＮＣＲリストを取得し、取得したＮＣＲリストに含まれる前記設定対象セルの物理セル識別子を、前記選択した新しい物理セル識別子に変更し、前記隣接セル関係を示すＮＣＲリストを運用している前記無線基地局の前記隣接セル関係を示すＮＣＲリストに、前記変更を反映させることを特徴とする請求項１または２記載のセルラ無線通信ネットワークシステム。
【請求項６】
前記仮の物理セル識別子として、他の目的に使用しない専用の物理セル識別子を用いることを特徴とする請求項２記載のセルラ無線通信ネットワークシステム。
【請求項７】
前記仮の物理セル識別子として、物理セル識別子の衝突や混同が起こりにくいと推測される物理セル識別子を用いることを特徴とする請求項２記載のセルラ無線通信ネットワークシステム。
【請求項８】
前記仮の物理セル識別子として、複数の仮の物理セル識別子を用いることを特徴とする請求項２記載のセルラ無線通信ネットワークシステム。
【請求項９】
前記隣接セル関係を示すＮＣＲリストの更新を行った後に、前記選択対象セルに仮の物理セル識別子を再設定して前記隣接セル関係を示すＮＣＲリストの再更新を行うことを複数回繰り返すことを特徴とする請求項２記載のセルラ無線通信ネットワークシステム。
【請求項１０】
複数の無線基地局と、これら複数の無線基地局に接続され前記複数の無線基地局を制御する基地局制御装置を備えて構成されるセルラ無線通信ネットワークシステムにおける物理セル識別子の選択方法において、
前記無線基地局は、無線通信エリアであるセルの１つあるいは複数個を収容し、前記１または複数のセル毎に、１つの物理セル識別子と１つのセルグローバル識別子とを対応付けたＮＣＲリストと、隣接セル関係のＮＣＲリストの設定処理を行う自動隣接関係設定処理手段とを有し、
前記基地局制御装置は、複数のセルの構成情報を一元管理するセルＤＢと、隣接セル関係のＮＣＲリストを一元管理するＮＣＲＤＢと、前記セルＤＢ及びＮＣＲＤＢを管理制御し、前記無線基地局のセルに前記物理セル識別子及び前記ＮＣＲリストを設定する基地局データ管理制御手段と有し、
前記基地局制御装置の基地局データ管理制御手段は、
あるセルの周囲の電波環境に応じてそのセルの隣接セル関係を示すＮＣＲリストを作成する機能を有し、該ＮＣＲリストを作成する機能が、前記あるセルの物理セル識別子を選択する際に、前記作成したセルの隣接セル関係を示すＮＣＲリストの中で、すでに電波の発射を開始している無線基地局の選択対象セルの隣接セル関係を示すＮＣＲリストに含まれるセルの物理セル識別子を物理セル識別子の選択候補から外して、前記あるセルの物理セル識別子を選択し、その際に、前記物理セル識別子を物理セル識別子の選択候補から外す条件に該当するか非該当か、もしくは条件に該当する回数によって、物理セル識別子に選択優先度を付与して、その選択優先度に従って前記あるセルの物理セル識別子を選択する
ことを特徴とする物理セル識別子の選択方法。
【発明の詳細な説明】
【技術分野】
【０００１】
本発明は、無線通信ネットワークシステム及び該システムにおける物理セル識別子の選択方法に係り、特に、セルを識別する物理セル識別子が衝突したり混同を生じることのないように、物理セル識別子を選択することができるセルラ無線通信ネットワークシステム及び該システムにおける物理セル識別子の選択方法に関する。
【背景技術】
【０００２】
一般に、セルラ無線通信ネットワークシステムは、通信可能なエリアを構築するために、同一周波数帯域内の電波を使って、多数の基地局をいくらかの距離間隔を置いて設置して構成されている。それらの基地局のそれぞれには、同一周波数帯域内の電波を使用するため、隣接局、近隣局との間で電波の送信元の局（セル）を識別することができるようにするために、それぞれの無線通信方式による変復調を受けた伝送情報としてではなく、変復調の結果に依らない複数種類の送信電波の物理的パターンの１つが割り当てられている。このため、セルラ無線通信ネットワークシステムとしては、前記したような送信電波の物理的パターンを複数種類備える必要があり、各セルラ無線通信方式において複数種類の電波送信パターンを構成できるチャンネル構成が考案されている。
【０００３】
前述の複数種類の電波送信パターンのパターン数を増大させることは、無線リソースを多く消費することを意味し、従ってその種類は有限である。この種類の数は、一般的なセルラ無線通信方式では、百〜数百種類程度である。この複数種類の電波送信パターンに対して、順番に番号を０，１，２，３，４，５，６，…と割り振ったものをここでは物理セル識別子（Physical Cell Identifier：ＰＣＩ）と呼ぶこととする。移動局は、基地局からの電波を受信し、その電波送信パターンからＰＣＩを特定することが可能である。
【０００４】
例えば、第３．９世代の無線通信方式とされる３ＧＰＰ（3rd Generation Partnership Project)のＬＴＥ(Long Term Evolution）方式においても、移動局側は、セルと呼ばれる基地局に１つまたは複数収容される無線通信エリアを識別するために物理セル識別子ＰＣＩを用いている。物理セル識別子ＰＣＩは、移動局（ＵＥ）において、周辺セルからの受信電力を測定する用途に利用される。このＰＣＩは、５０４種類設けられており、移動局（ＵＥ）は、５０４セルまで識別して受信電力を測定することができる。ＰＣＩの種類が多いほど、後述するようなＰＣＩに関する問題は起きにくいが、ＰＣＩの種類が多いほど電波リソースを多く要するため、通常５０４種類とされている。一般に、セルラ無線通信ネットワークシステムのセルの数は、５０４より多いため、ＰＣＩは繰り返し利用され、同一のＰＣＩを持つセルが複数存在することになる。
【０００５】
移動局は、現在接続しているセルから隣接セルに接続を切り替える（ハンドオーバ）とき、ハンドオーバ先候補のＰＣＩを受信するが、システム全体で同じＰＣＩを持つセルが多数存在するため、ＰＣＩの情報だけでは隣接セルを一意に特定することができない。そのため、基地局は、ＰＣＩをシステム全体で一意なＩＤ（セルグローバル識別子：Cell Global Identifier: ＣＧＩ）に変換するテーブルを持ち、移動局から報告されたＰＣＩを基地局においてＣＧＩに変換するか、基地局からこの変換テーブルを移動局に渡して移動局においてＰＣＩをＣＧＩに変換させる。これにより、移動局は、ハンドオーバ先のセル、を特定することができ、ハンドオーバのための必要な処理を、現在接続中の基地局とハンドオーバ先の基地局との間で開始することができる。この変換テーブルには隣接セルが一覧として記述されているため、このテーブルは、隣接セル関係（Neighbor Cell Relations： ＮＣＲ）リストと呼ばれる。
【０００６】
各セルのＰＣＩの割り振りは、次に説明する２つの問題を引き起こさないように、行われる必要がある。
【０００７】
第１の問題は、ＰＣＩ衝突（ＰＣＩ Collision）である。すなわち、同一のＰＣＩを持つセル同士でカバレッジが重なり合う場合、ある移動局は、現在の接続セル（セルＸとする）との通信中に、同じＰＣＩを持つ近隣のセル（セルＹとする）からも電波を受け、電波干渉を受けることになる。しかし、移動局は、セルＸと同じＰＣＩを持つセルＹを識別することができず、セルＹにハンドオーバできないばかりでなく、セルＹからの電波干渉を受けている状況にも関わらず、それをセルＸからのマルチパス電波としてセルＸからの電波に合算し、セルＸの電波強度を実際よりも強いと測定してしまう等の悪影響を受けてしまうことになるという問題である。
【０００８】
第２の問題は、ＰＣＩ混同（ＰＣＩ Confusion）である。すなわち、あるセル（セルＫとする）が同じＰＣＩを持つ複数のセル（セルＬ，セルＭとする）とカバレッジが重なっている場合、基地局側は、ＮＣＲリストに従ってＰＣＩをＣＧＩに一意に変換するため、セルＬのＰＣＩを受信した場合、正しくセルＬのＣＧＩに変換することができたとしても、セルＭのＰＣＩを受信した場合も、セルＬのＣＧＩに変換するということが生じてしまう。この場合、セルＫからセルＭにハンドオーバしようとしている移動局のハンドオーバ処理が、不適切にもセルＫからセルＬに対して処理され、移動局は、ハンドオーバが可能な程の強度の電波を受信しているわけではないセルＬにハンドオーバさせられ、ハンドオーバが失敗してしまうことになるという問題である。一般に、ＮＣＲリストには、１つのＰＣＩに対して１つのＣＧＩしか記述されておらず、同一のＰＣＩを持つそれ以外のセルへのハンドオーバが常に失敗することになる。
【０００９】
新しく基地局を建設する際に新しいセルのためにＰＣＩを選定するときにも、前述の２つの問題を回避すべきであり、局位置周辺のセルのＰＣＩ割り振り状況から、何らかの手段によって前述の２つの問題をクリアしたＰＣＩが選択される。
【００１０】
ある新しいセルのＰＣＩの選択方法として考えられる方法の１つは、そのセルの位置から半径何ｋｍ以内に位置するセルの全てのＰＣＩを除いた残りのＰＣＩからそのセルに設定するＰＣＩを選択するという方法である。この方法以外にも、地形を考慮してＰＣＩを選択する方法、各セルの電波伝播状況を電波伝播シミュレータによって推定してＰＣＩを選択する方法等が考えられる。しかし、推定が１００％正確であることは現実ではありえず、これらの方法によってＰＣＩを選択したとしてもＰＣＩの衝突や混同が発生する可能性がある。
【００１１】
ＮＣＲリストは、そのセル周辺の電波状況を反映したものとすることが望ましいが、幾つかの手段によってセル周辺の電波状況を反映することができる。例えば、3GPPのＬＴＥ方式における自動隣接関係設定機能（3GPP TS36.300の22.3.2a項 Automatic Neighbour Relation Function）（ＡＮＲ機能）のような方法が考えられる。この方法は、移動局が現在接続しているセルのＮＣＲリストに存在しないＰＣＩを検出したときに、移動局がそのＰＣＩのセルの報知情報を読み取り、そこからＣＧＩを取得し、接続しているセルに報告し、報告を受けた基地局がそのセルのＮＣＲリストに新たなＰＣＩとＣＧＩのレコードを追加するというものである。
【００１２】
このようにして作成されるＮＣＲリストは、十分な移動局からの報告量があれば、ハンドオーバの目的に十分な程にセル周辺の電波状況を反映することができる。しかし、近隣にそのセル（セルＡとする）と同一のＰＣＩのセル（セルＢとする）が存在した場合、移動局は、セルＢのＰＣＩを識別して報告することができないため、セルＡのＮＣＲリストに、セルＢは追加されないことになる。また、近隣に同一のＰＣＩのセルが複数（セルＣ，セルＤとする）存在した場合、ＮＣＲリストにはどちらか１つのセル（例えば、先に移動局が検出して報告してきたセル）だけが追加されることになる。
【００１３】
セルＡのＮＣＲリストに、セルＢが追加されないことになる前者の場合、ＰＣＩ衝突が発生し、サービスに悪影響が発生している状況であるが、ＡＮＲ機能によって作成されたＮＣＲリストからは、衝突の発生が判らない。また、ＮＣＲリストに２つのセルの１つのセルだけが追加されることになる後者の場合、ＮＣＲリストに追加されなかった局にはハンドオーバすることができないため、ハンドオーバ失敗が原因の呼切断が多く発生している可能性が高い状況であるが、ＡＮＲ機能によって作成されたＮＣＲリストからは、それを知ることができない。また、ＮＣＲリストからは、周辺の電波状況を知ることはできても、ＰＣＩの衝突と混同との発生の有無を知ることができない。
【００１４】
ＰＣＩの衝突の発生の有無を知る方法としては、特許文献１に記載された方法が知られている。この方法は、移動局が接続しているセル（セルＥとする）が、一時的に移動局に自らのＰＣＩを検出させるための参照信号を送信しないようにし、移動局がセルＥ以外で、セルＥと同じＰＣＩを持つ周辺のセルの参照信号を検出できるようにするというものである。この方法によれば、ＰＣＩの衝突を検出することができる。ＰＣＩの混同の発生の有無を知る方法としては、ＮＣＲリストに存在するＰＣＩについても移動局にそのＰＣＩのセルの報知情報を読み取らせ、ＣＧＩを報告させるという方法もある。この方法により、報告を受けた基地局が、同一のＰＣＩについて複数のＣＧＩが報告されるケースの有無を判定することによりＰＣＩの混同の発生の有無を知ることができる。これらのＰＣＩの衝突や混同の発生の有無を知る方法は、基地局や移動局に専用の機能を実装することにより実現されている。
【先行技術文献】
【特許文献】
【００１５】
【特許文献１】特表２０１０−５３７４７９号公報
【非特許文献】
【００１６】
【非特許文献１】3GPP TS 36.300 V10.2.0 (2010-12)
【発明の概要】
【発明が解決しようとする課題】
【００１７】
セルラ無線通信ネットワークシステムを構成する各基地局のセル毎に設定される物理セル識別子（ＰＣＩ）は、設定可能な種類が限られており（百〜数百）、いくらかの距離間隔で同じ識別子を設定せざるを得ない。しかし、近接する基地局同士で同じ識別子を設定してしまうと、ＰＣＩの衝突やＰＣＩの混同といった問題が発生し、一方が他方の電波受信品質に大きな影響を与えてしまうことになる。
【００１８】
また、各セルのＰＣＩは、フィールドでの電波状況に基づかず、机上でＰＣＩ衝突を避けるように検討されて設定されるのが一般的である。しかし、想定外の電波状況があった場合、ＰＣＩの衝突やＰＣＩの混同が発生してしまう。高い電波伝播シミュレーション技術か、より多くの検討工数があれば、これらの問題を回避することができるかもしれないが、何れにしても多くのコストを要するという問題を生じさせることになる。
【００１９】
また、先行技術文献に記載されているように各セルにＰＣＩを設定した後にＰＣＩの衝突やＰＣＩの混同を検出する方法も提案されているが、これらの方法は、システムやシステム運用方法に様々な変更を要するため、多くのコストを要するという問題を生じさせることになる。
【００２０】
本発明の目的は、前述したような従来からのセルラ無線通信ネットワークシステムにおける前述したような問題に鑑み、実際に電波を発射したり、無線パラメータを変更してシステムの運用を開始した後に、ＰＣＩの衝突、混同を生じることのないＰＣＩを選択し、設定することができるようにした無線通信ネットワークシステム及び該システムにおける物理セル識別子の選択方法を提供することにある。
【課題を解決するための手段】
【００２１】
本発明によれば前記目的は、複数の無線基地局と、これら複数の無線基地局に接続され前記複数の無線基地局を制御する基地局制御装置を備えて構成されるセルラ無線通信ネットワークシステムにおいて、前記無線基地局は、無線通信エリアであるセルの１つあるいは複数個を収容し、前記１または複数のセル毎に、１つの物理セル識別子と１つのセルグローバル識別子とを対応付けたＮＣＲリストと、隣接セル関係のＮＣＲリストの設定処理を行う自動隣接関係設定処理手段とを有し、前記基地局制御装置は、複数のセルの構成情報を一元管理するセルＤＢと、隣接セル関係のＮＣＲリストを一元管理するＮＣＲＤＢと、前記セルＤＢ及びＮＣＲＤＢを管理制御し、前記無線基地局のセルに前記物理セル識別子及び前記ＮＣＲリストを設定する基地局データ管理制御手段とを有し、前記基地局制御装置の基地局データ管理制御手段は、あるセルの周囲の電波環境に応じてそのセルの隣接セル関係を示すＮＣＲリストを作成する機能を有し、該ＮＣＲリストを作成する機能が、前記あるセルの物理セル識別子を選択する際に、前記作成したセルの隣接セル関係を示すＮＣＲリストの中で、すでに電波の発射を開始している無線基地局の選択対象セルの隣接セル関係を示すＮＣＲリストに含まれるセルの物理セル識別子を物理セル識別子の選択候補から外して、前記あるセルの物理セル識別子を選択し、その際に、前記物理セル識別子を物理セル識別子の選択候補から外す条件に該当するか非該当か、もしくは条件に該当する回数によって、物理セル識別子に選択優先度を付与して、その選択優先度に従って前記あるセルの物理セル識別子を選択することにより達成される。
【発明の効果】
【００２２】
本発明によれば、実際に電波の発射を開始したり諸々の無線パラメータを変更して運用を開始した後の実運用設定における電波環境に即して、ＰＣＩの衝突や混同を起こさないＰＣＩ、あるいは、ＰＣＩの衝突や混同を起こしにくいＰＣＩを選択し、選択したＰＣＩをセルに設定することができる。
【図面の簡単な説明】
【００２３】
【図１】本発明の一実施形態によるセルラ無線通信ネットワークシステムの構成を示すブロック図である。
【図２】基地局ｅＮＢの構成例を示すブロック図である。
【図３】移動局ＵＥの構成例を示すブロック図である。
【図４】ＮＣＲリストの構成例を示す図である。
【図５】自動隣接関係設定処理部ＡＮＲがＮＣＲリストにレコードを追加する処理を説明する図である。
【図６】自動隣接関係設定処理部ＡＮＲがＮＣＲリストにレコードを追加する処理を説明するシーケンスチャートである。
【図７】本発明の実施形態における無線通信ネットワークシステムがセル識別子を再選択する処理動作を説明するフローチャートである。
【図８】自動隣接関係設定処理ＡＮＲによる基地局のセルのＮＣＲリストの更新の例（その１）を説明する図である。
【図９】自動隣接関係設定処理ＡＮＲによる基地局のセルのＮＣＲリストの更新の例（その２）を説明する図である。
【図１０】基地局制御装置ＥＭＳでの回避すべきＰＣＩの抽出処理の動作を説明するフローチャートである。
【図１１】基地局制御装置ＥＭＳ及び基地局内のＰＣＩを再設定する処理動作を説明するフローチャートである。
【図１２】仮ＰＣＩがＰＣＩの混同を発生した場合に、取得することができないＮＣＲリストについて説明する図である。
【図１３】複数の仮ＰＣＩを利用する場合のＰＣＩ再設定の処理動作を説明するフローチャートである。
【発明を実施するための形態】
【００２４】
以下、本発明による無線通信ネットワークシステムの実施形態を図面により詳細に説明する。
【００２５】
図１は本発明の一実施形態によるセルラ無線通信ネットワークシステムの構成を示すブロック図である。
【００２６】
図１に示す本発明の実施形態によるセルラ無線通信ネットワークシステムは、複数の無線基地局（以下、単に、基地局といい、また、ｅＮＢという）２０−１〜２０−４、…と、複数の移動局（以下、ＵＥという）３０−１〜３０−５、…と、基地局の制御を行う基地局制御装置（以下、ＥＭＳという）１０とを備えて構成されている。
【００２７】
基地局ｅＮＢは、無線通信エリアであるセルの１つあるいは複数個を収容している。ＥＭＳ１０は、基地局制御部１００を備えて構成され、基地局制御部１００は、複数のセルの構成情報を一元管理するセルデータベース（セルＤＢ）１０２と、隣接セル関係（Neighbor Cell Relations : ＮＣＲ）リストを一元管理するＮＣＲデータベース（ＮＣＲＤＢ）１０３と、セルＤＢ１０２とＮＣＲＤＢ１０３とを管理制御し、ｅＮＢに物理セル識別子（Physical Cell Identifier：ＰＣＩ）及びＮＣＲリストを設定する基地局データ管理制御部１０１とを有して構成されている。
【００２８】
図２は基地局ｅＮＢの構成例を示すブロック図である。ｅＮＢ２０−１〜２０−４は、無線送受信を行う無線装置２０１と、移動局ＵＥとの間での通信処理を行う通信処理部２０２と、隣接セル関係（Neighbor Cell Relation：ＮＣＲ）リストの設定処理を行う自動隣接関係設定処理部（Automatic Neighbor Relation：ＡＮＲ)２０３と、隣接セルとの間のハンドオーバ処理を行うハンドオーバ処理部２０４とを有して構成されている。また、ｅＮＢ２０は、セル毎のＮＣＲリストＴ０１−１〜Ｔ０１−３を保持している。
【００２９】
通信処理部２０２は、ディジタルデータを変調し、移動局ＵＥに送信する電波信号に変換したり、移動局ＵＥから送信された電波信号を復調し、ディジタルデータに変換する機能等を有する。基地局ｅＮＢは、１あるいは複数個のセルを持ち、各セルは、それぞれ１つの物理セル識別子ＰＣＩ、１つのセルグローバル識別子（Cell Global Identifier：ＣＧＩ）、１つのＮＣＲリストを保持している。物理セル識別子ＰＣＩは、移動局ＵＥにおいて、周辺セルからの受信電力を測定するための用途に利用される。このＰＣＩは、例えば、５０４種類あり、その場合、移動局ＵＥは、５０４セルまで識別して受信電力を測定することができる。ＰＣＩの種類が多いほど後述するように、ＰＣＩに関する問題は起きにくいが、ＰＣＩの種類が多いほど電波リソースを多く要するため、ここで説明している本発明の実施形態では、ＰＣＩの種類を５０４種類としている。システム内のセルの総数は５０４より多いため、ＰＣＩは、繰り返し利用され、同一のＰＣＩを持つセルが複数存在することになる。
【００３０】
これに対して受信電力の測定とは関係がなく、十分な種類を用意することができるセルグローバル識別子ＣＧＩは、セルに対して一意である。ＮＣＲリストは、そのＮＣＲリストを持つセル周辺の限定された範囲内におけるＰＣＩとＣＧＩとの対応関係を示しており、基地局ｅＮＢは、ハンドオーバ処理部２０４がＮＣＲリストＴ０１−１〜Ｔ０１−３を参照することにより、移動局ＵＥから報告されてくるＰＣＩ別の受信電力強度からハンドオーバ先候補のセルを一意に特定することができる。自動隣接関係設定処理部ＡＮＲ２０３は、後述する方法によってＮＣＲリストＴ０１−１〜Ｔ０１−３の設定処理を行う。
【００３１】
図３は移動局ＵＥの構成例を示すブロック図である。移動局ＵＥ３０−１〜ＵＥ３０−５（以下、単に、移動局ＵＥ３０ということもある）は、無線送受信を行う無線装置３０１と、基地局ｅＮＢとの通信処理を行う通信処理部３０２と、ＰＣＩ別に受信電波の測定を行う測定処理部３０３とを有して構成されている。
【００３２】
通信処理部３０２は、基地局ｅＮＢから送信された電波信号を復調し、ディジタルデータに変換したり、ディジタルデータを変調し、基地局ｅＮＢに送信する電波信号に変換する機能等を有する。移動局ＵＥ３０は、測定処理部３０３が、常にＰＣＩ別の電波受信品質を監視しており、必要に応じて通信処理部３０２を介して基地局ｅＮＢにＰＣＩ別の電波受信品質データを含めた報告メッセージを送信する。
【００３３】
図４はＮＣＲリストの構成例を示す図である。ＮＣＲリストＴ０１は、セル単位で管理されるデータテーブルであり、基地局ｅＮＢに自身が持つセルの数だけ保持されている。また、基地局制御装置ＥＭＳ１０の基地局制御部１００は、管理する基地局ｅＮＢのセル全てのＮＣＲリストをＮＣＲＤＢ１０３に保持している。基地局ｅＮＢにおけるＮＣＲリストの変更と、基地局制御装置におけるＮＣＲリストの変更とは、通知メッセージによって相互に反映され、常に同期されている。
【００３４】
図４に示すＮＣＲリストのデータテーブルは、物理セル識別子（Physical Cell Identifier：ＰＣＩ）と、セルグローバル識別子（Cell Global Identifier：ＣＧＩ）と、ハンドオーバを効率化するためのハンドオーバ（ＨＯ）情報とを関連付けた１つのレコードとして、複数のレコードを有して構成される。ハンドオーバ（ＨＯ）情報は、基地局ｅＮＢがハンドオーバ先のセルが属するｅＮＢとのハンドオーバの手続きの通信宛先情報等が該当する。
【００３５】
図５は自動隣接関係設定処理部ＡＮＲ２０３がＮＣＲリストにレコードを追加する処理を説明する図であり、次に、これについて説明する。
【００３６】
（１）移動局ＵＥ３０−１は、基地局ｅＮＢ２０−１のセルＡを介した通信中に基地局ｅＮＢ２０−２のセルＢのＰＣＩ（ここでは例として＃１０とする）を検出すると、セルＡを持つ基地局ｅＮＢ２０−１に定期的送付している測定情報の中で、検出したＰＣＩ（ＰＣＩ＃１０）の情報を送付する。セルＡを持つ基地局ｅＮＢ２０−１は、送付されてきたＰＣＩ＃１０がＮＣＲリスト内にあるか否かを確認し、あれば特に何もしない（ステップＳ１）。
【００３７】
（２）前述の確認で、ＰＣＩ＃１０がＮＣＲリスト内になかった場合、移動局ＵＥに対してＰＣＩ＃１０のＣＧＩ情報を取得するよう要求を出す。要求を受け取った移動局ＵＥは、セルＢを持つ基地局ｅＮＢ２０−２が出す報知情報からセルＢのＣＧＩ（例えば、ＣＧＩ＝２１１１００）を読み取る（ステップＳ２、Ｓ３）。
【００３８】
（３）移動局ＵＥは、読み取ったセルＢのＣＧＩ（２１１１００）をセルＡを持つ基地局ｅＮＢ２０−１に報告する。セルＡを持つ基地局ｅＮＢ２０−１は、受け取ったＰＣＩ＃１０とＣＧＩ（２１１１００）とをＮＣＲリストに新しいレコードとして追加する。なお、このＣＧＩ＝２１１１００を使用してＨＯ情報を取得する処理については、その説明を省略する（ステップＳ４）。
【００３９】
前述した処理において、セルＡとセルＢとのどちらか、あるいは、両方の電波受信範囲が小さくなる等により、移動局ＵＥがセルＡを持つ基地局ｅＮＢ２０−１との通信中にセルＢを持つ基地局ｅＮＢ２０−２のＰＣＩ（ＰＣＩ＃１０）を検出しなくなった場合、セルＡを持つ基地局ｅＮＢ２０−１は、ＵＥからＰＣＩ＃１０の情報を受け取ることがなくなる。基地局ｅＮＢ２０−１のＡＮＲ２０３は、そのような一定時間検出されないＰＣＩや単位時間内の検出回数が少ないＰＣＩのレコードをＮＣＲリストから削除する処理をも行っている。また、前述した処理の開始時におけるＮＣＲリストには、当該基地局において、ＰＣＩの重複のないＰＣＩが設定されており、既に含まれているＰＣＩと同じＰＣＩを持つレコードが追加されることはないため、ＮＣＲリストはＰＣＩの重複のない状態を保つ。
【００４０】
図６は自動隣接関係設定処理部ＡＮＲ２０３がＮＣＲリストにレコードを追加する処理を説明するシーケンスチャートである。ここに示す処理は、図５により説明した処理をシーケンスチャートとしたものである。なお、図６に示すＳ１〜Ｓ４のそれぞれは、図５のステップＳ１〜Ｓ４のぞれぞれに対応している。
【００４１】
（１）移動局ＵＥは、基地局ｅＮＢ２０−１のセルＡを介した通信中に基地局ｅＮＢ２０−２のセルＢのＰＣＩ（ここでは例として＃１０とする）を検出して受信すると、セルＡを持つ基地局ｅＮＢ２０−１に定期的送付している測定情報の中で、検出したＰＣＩ（ＰＣＩ＃１０）の情報を送付する（ステップＫ１、Ｋ２、Ｓ１）。
【００４２】
（２）セルＡを持つ基地局ｅＮＢ２０−１は、移動局ＵＥから送付されてきたＰＣＩ＃１０がＮＣＲリスト内にあるか否かを確認し、あれば特に何もしないで、ここでの処理を終了する（ステップＫ３）。
【００４３】
（３）ステップＫ３での前述の確認で、ＰＣＩ＃１０がＮＣＲリスト内になかった場合、セルＡを持つ基地局ｅＮＢ２０−１は、移動局ＵＥに対してＰＣＩ＃１０のＣＧＩ情報を取得するよう要求を出す（ステップＳ２）。
【００４４】
（４）要求を受け取った移動局ＵＥは、セルＢを持つ基地局ｅＮＢ２０−２が出す報知情報からセルＢのＣＧＩ（例えば、ＣＧＩ＝２１１１００）を読み取り、読み取ったセルＢのＣＧＩ（２１１１００）をセルＡを持つ基地局ｅＮＢ２０−１に報告する（ステップＳ３、Ｓ４）。
【００４５】
（５）セルＡを持つ基地局ｅＮＢ２０−１は、受け取ったＰＣＩ＃１０とＣＧＩ（２１１１００）とをＮＣＲリストに新しいレコードとして追加する。なお、このＣＧＩ＝２１１１００を使用してＨＯ情報を取得する処理については、その説明を省略する（ステップＫ４）。
【００４６】
図７は本発明の実施形態における無線通信ネットワークシステムがセル識別子を再選択する処理動作を説明するフローチャートであり、次に、これについて説明する。
【００４７】
（１）オペレータは、新基地局の建設や、既設セルの無線パラメータの変更、既設セル周辺の地物の変化等の電波環境の変化がある場合に、ＰＣＩの衝突やＰＣＩの混同が新たに起こらないように、セル識別子再選択の処理をシステムに開始させ、電波環境の変化の中心となるセル（新基地局のセル、無線パラメータを変更するセル、地物変化の影響を大きく受けるセル）を持つ基地局ｅＮＢ内のそのセルに対応するＰＣＩを仮のＰＣＩに変更する。この仮のＰＣＩとして用いるＰＣＩは、それ自体がＰＣＩの衝突やＰＣＩの混同を起こさないＰＣＩが望ましい。例えば、ここでの処理のために予約したＰＣＩを仮のＰＣＩとする方法があるが、仮のＰＣＩの選択方法については後述する（ステップＳ６０）。
【００４８】
（２）その後、十分な時間（例えば１週間）が経過すると、各セルに対応するＮＣＲリストが基地局ｅＮＢが有する自動隣接関係設定処理部ＡＮＲ２０３によって更新され、セルの周辺の電波環境の変化を反映したものとなる。そこで、図１０に示して詳細を後述する回避すべきＰＣＩの抽出処理を基地局制御装置ＥＭＳに実行させる（ステップＳ６１、Ｓ６２）。
【００４９】
（３）回避すべきＰＣＩの抽出処理による抽出結果により、抽出された回避すべきＰＣＩ以外から新しいＰＣＩを、衝突やＰＣＩの混同のないＰＣＩとして選択し、その後、選択したＰＣＩを、新基地局のセル、無線パラメータを変更するセル、地物変化の影響を大きく受けるセルに設定するＰＣＩの再設定処理を実施し、ここでの処理を終了する。なお、ＰＣＩの再設定処理の詳細については、図１１を参照して後述する（ステップＳ６３、Ｓ６４）。
【００５０】
新たに設置した基地局のセルのＰＣＩを再選択する場合と既設の基地局のセルのＰＣＩを再選択する場合との相違は、後者がすでに何らかのＰＣＩが設定されて運用開始しており、自セルの情報が周辺セルのＮＣＲリストにすでに取込まれていることも考えられ、従って電波環境の変化によってＮＣＲリストに自セルの情報が追加されることもあれば、逆に削除されることもあることと、仮ＰＣＩの設定時に後述する図１１のＰＣＩの再設定処理を実施する必要があることである。
【００５１】
図８は自動隣接関係設定処理ＡＮＲによる基地局のセルのＮＣＲリストの更新の例（その１）を説明する図である。ここで説明する例は、基地局ｅＮＢ２０−１のセルＡが仮ＰＣＩ＃２で電波発射を開始した後の自動隣接関係設定処理部ＡＮＲ２０３によるＮＣＲリストの更新の様子の例である。
【００５２】
図８に示す例では、基地局ｅＮＢ２０−１のセルＡに接続している移動局ＵＥ３０−１とＵＥ３０−２とからの報告によって基地局ｅＮＢ２０−２のセルＢの情報（ＰＣＩ＝＃１０、ＣＧＩ＝２１１１００）、基地局ｅＮＢ２０−３のセルＣの情報（ＰＣＩ＝＃３３、ＣＧＩ＝２７８６２６）が基地局ｅＮＢ２０−１のセルＡのＮＣＲリストに追加されるものとしている。ここで、基地局ｅＮＢ２０−１のセルＡが、基地局ｅＮＢ２０−２のセルＢか基地局ｅＮＢ２０−３のセルＣと同一のＰＣＩを持っていたとすると、ＰＣＩの衝突が発生していたことが判る。従って、基地局ｅＮＢ２０−１のセルＡにＰＣＩを再設定する場合、これらセルＡのＮＣＲリストに追加されたセル（ここでは、セルＢ及びセルＣ）のＰＣＩは、自セルのＮＣＲリストに含まれるＰＣＩであるため、そのＰＣＩを再設定に使用することを避けなければならないことが判る。
【００５３】
図９は自動隣接関係設定処理ＡＮＲによる基地局のセルのＮＣＲリストの更新の例（その２）を説明する図である。
【００５４】
図９に示す例では、基地局ｅＮＢ２０−１のセルＡではなく、基地局ｅＮＢ２０−４のセルＤに接続している移動局ＵＥ３０−３からの報告によって、基地局ｅＮＢ２０−１のセルＡの情報（ＰＣＩ＝＃２、ＣＧＩ＝２１２０２０）が基地局ｅＮＢ２０−４のセルＤのＮＣＲリストに追加され、同様に、移動局ＵＥ３０−４からの報告によって、基地局ｅＮＢ２０−５のセルＥの情報（ＰＣＩ＝＃３３、ＣＧＩ＝２２５４７５）が基地局ｅＮＢ２０−４のセルＤのＮＣＲリストに追加されるものとしている。ここで、基地局２０−１のセルＡが、基地局２０−４のセルＤと同一のＰＣＩを持っていたとすると、ＰＣＩの衝突が発生していたことが判る。また、基地局２０−１のセルＡが基地局２０−５のセルＥと同一のＰＣＩを持っていたとすると、基地局２０−４のセルＤのＮＣＲリストにおいてＰＣＩの混同が発生していたことが分かる。従って、セルＡにＰＣＩを再設定する場合、これらの基地局２０−１のセルＡ（のＣＧＩ）が追加されたＮＣＲリスト（ここでは、セルＤのＮＣＲリスト）が属するセル（ここでは、セルＤ）のＰＣＩと、このＮＣＲリストに追加されたセル（ここでは、セルＥ）のＰＣＩは、基地局２０−１のセルである自セルのＣＧＩを含むＮＣＲリストを持つセルのＰＣＩであり、また、基地局２０−１のセルである自セルのＣＧＩを含むＮＣＲリストに含まれるＰＣＩであるため、そのＰＣＩを再設定に使用することを避けなければならないことが判る。
【００５５】
図１０は基地局制御装置ＥＭＳでの回避すべきＰＣＩの抽出処理の動作を説明するフローチャートであり、次に、これについて説明する。ここでの処理は、基地局制御装置ＥＭＳがＰＣＩを再設定する基地局ｅＮＢのセルについて、（ａ）自セルのＮＣＲリストに含まれるＰＣＩ、（ｂ）自セルのＣＧＩを含むＮＣＲリストを持つセルのＰＣＩ、（ｃ）自セルのＣＧＩを含むＮＣＲリストに含まれるＰＣＩの３つの条件のいずれかに当てはまるＰＣＩを、セルＤＢ１０２とＮＣＲＤＢ１０３とから回避すべきＰＣＩとして抽出する処理である。
【００５６】
（１）基地局制御装置ＥＭＳは、あるセル（ＰＣＩを変更するセル）のＰＣＩを再選択するために、回避すべきＰＣＩの抽出処理が開始されると、ＮＣＲＤＢ１０３からＰＣＩを変更するセルのＮＣＲリストを取得すると共に、同じくＮＣＲＤＢ１０３からＰＣＩを変更するセルのＣＧＩを含むＮＣＲリストを取得する（ステップＳ７０、Ｓ７１）
（２）次に、セルＤＢ１０２から前述のＮＣＲリストが属するセルのＰＣＩを取得すると共に、ＮＣＲＤＢ１０３から前述の２種類のＮＣＲリストに含まれるＰＣＩを取得して、ここでの処理を終了する（ステップＳ７２、Ｓ７３）。
【００５７】
５０４種類のＰＣＩから前述した処理により抽出されたＰＣＩを除いた残りのＰＣＩの中から新しいＰＣＩを選択し、選択したＰＣＩをｅＮＢのＰＣＩを変更するセルに対して設定する処理が行われる。５０４種類のＰＣＩから前述の処理で抽出したＰＣＩを除いた残りのＰＣＩの中から新しいＰＣＩを選択する方法は、例えば、将来設定が予定されている他の新しいセルが、ＰＣＩを変更するセルとのＰＣＩの衝突もしくは混同の可能性があると推定されるときに、その新しいセルが現段階において選択可能と推定されるＰＣＩを、ＰＣＩを変更するセルのためにはできる限り選択せず、それ以外のＰＣＩを選択するという方法が考えられる。これによって、将来、ＰＣＩを選択する際に選択可能なＰＣＩが無くなっている可能性を減ずることができる。
【００５８】
ＰＣＩの衝突あるいは混同の可能性を推定する方法は、例えば、電波伝播シミュレータを利用する方法等が考えられるが、簡便な方法としては、セルを収容するｅＮＢ同士の距離を利用して、ｅＮＢ同士の距離が１５ｋｍ以内ならＰＣＩの混同の可能性あり、５ｋｍ以内ならＰＣＩの衝突の可能性あり等、とする方法が考えられる。ここで、この１５ｋｍ、５ｋｍといった距離を大きく取ることで推定誤りによるＰＣＩの衝突や混同の可能性は減るが、選択可能なＰＣＩが少なくなってしまう。
【００５９】
５０４種類のＰＣＩから前述の処理で抽出したＰＣＩを除いた残りのＰＣＩが１つもない場合でも、新しいＰＣＩを選択する必要がある。その場合に新しいＰＣＩを選択する方法としては、例えば、ＰＣＩに次のように優先度付けをし、優先度の高いＰＣＩを選択するという方法がある。すなわち、ＰＣＩの衝突を起こすＰＣＩ（前述した条件（ａ）、（ｂ）のＰＣＩ）の優先度を最低とし、ＰＣＩの衝突は起こさずＰＣＩの混同を起こすＰＣＩ（前述した条件（ａ）、（ｂ）以外で条件（ｃ）に該当するＰＣＩ）の優先度を高くするという方法である。それらの中で更に優先度付けするには、前述の条件（ｃ）において、自セルのＣＧＩを含むＮＣＲリストが複数存在し、同じＰＣＩがその内の幾つかのＮＣＲリストに含まれることがあり、その含まれる回数が多い程ＰＣＩの混同の影響範囲が大きいので、その回数が多い程優先度を低くするという方法をとることもできる。
【００６０】
図１１は基地局制御装置ＥＭＳ及び基地局内のＰＣＩを再設定する処理動作を説明するフローチャートであり、次に、これについて説明する。
【００６１】
（１）基地局制御装置ＥＭＳ１０内の基地局制御部１００は、ＰＣＩの選択結果を受け、ＮＣＲＤＢ１０３内に、選択されたＰＣＩを、ＰＣＩを変更するセルの新しいＰＣＩとして設定する（ステップＳ８０）。
【００６２】
（２）そして、基地局制御部１００は、ＮＣＲＤＢ１０３内のＰＣＩを変更するセルのＣＧＩを含むＮＣＲリストに含まれるそのセルのＰＣＩを新しいＰＣＩに置換し、そのＮＣＲリストを、ＰＣＩを変更するセルを有する基地局ｅＮＢに送信し、その基地局ｅＮＢのＮＣＲリストに反映させる（ステップＳ８１、Ｓ８２）。
【００６３】
仮ＰＣＩについては、すでに説明したように、仮ＰＣＩ以外には使用しない予約ＰＣＩを仮ＰＣＩとして用いるという方法に限らず、実際の電波状態を完全には反映できない何らかのシミュレータや幾何学的方法から仮ＰＣＩを決定する方法が考えられる。しかし、そのような何らかの推定手法によって選択された仮ＰＣＩは、ＰＣＩの衝突やＰＣＩの混同を発生させないという保証がなされたものではない。
【００６４】
仮ＰＣＩがＰＣＩの衝突を発生した場合、その衝突の発生を知ることはできず、前述した条件（ａ）、（ｂ）、（ｃ）によっては、回避すべきＰＣＩとして仮ＰＣＩと同じＰＣＩがリストアップされることはないため、仮ＰＣＩがＰＣＩの衝突を発生しているか、いないか、に関わらず、仮ＰＣＩと同じＰＣＩを新しいＰＣＩとして選択しないようにする必要がある。仮ＰＣＩと同じＰＣＩが選択可能なＰＣＩとしてリストアップされることがないようにするには、前述した条件（ａ）、（ｂ）、（ｃ）に、（ｄ）自セルの現ＰＣＩ（仮ＰＣＩ）を回避すべきＰＣＩとして抽出するという条件を加えることにより回避することができる。
【００６５】
また、仮ＰＣＩがＰＣＩの混同を発生した場合、前述した条件（ｂ）、（ｃ）に述べた自セルのＣＧＩを含むＮＣＲリストのうち、ＰＣＩの混同が発生したＮＣＲリストは取得することができないため、このＮＣＲリストを持つセルのＰＣＩ及びこのＮＣＲリストに含まれるＰＣＩを抽出することができなくなることになる。これについては図１２を参照して後述する。
【００６６】
図１２は仮ＰＣＩがＰＣＩの混同を発生した場合に、前述した取得することができないＮＣＲリストについて説明する図である。
【００６７】
図１２に示すように、基地局ｅＮＢ２０−４のセルＤのサービスエリア内にいる移動局ＵＥ３０−３が基地局ｅＮＢ２０−４を介して通信を行っている状態で、新設あるいはＰＣＩを変更しようとしているセルＡを持つ基地局ｅＮＢ２０−１のセルＡに仮ＰＣＩとして＃２を設定して電波を発射し、あるいは、仮ＰＣＩとして＃２２を設定して電波を発射したものとする。基地局ｅＮＢ２０−４のセルＤのＮＣＲリスト内には、図１２内にＮＣＲリストＴ０１−４として示しているような内容（但し、ＰＣＩ＝＃４４のデータを除く）が保持されているものとし、また、移動局ＵＥ３０−３が基地局ｅＮＢ２０−１からの電波をも受信することができるセルＡとセルＤとのサービスエリアが重なるような場所にいるものとする。
【００６８】
前述の場合、基地局ｅＮＢ２０−４は、ＮＣＲリストＴ０１−４内にＰＣＩ＝＃２、ＰＣＩ＝＃２２のデータが保持されているため、セルＡを持つ基地局ｅＮＢ２０−１のセルＡに仮ＰＣＩとして＃２または＃２２が設定された場合、ＰＣＩの混同が発生することになることが判る。前述した図５と図６の方法によって、基地局ｅＮＢ２０−４は、移動局ＵＥ３０−３からこれらのＰＣＩデータが受信することができたことの報告があった場合にも、これらのＰＣＩデータは既にＮＣＲリストＴ０１−４内に含まれているため、これらのＰＣＩデータとセルＡのＣＧＩをＮＣＲリストＴ０１−４内に取込まない。ＮＣＲリストＴ０１−４はセルＡのＣＧＩを含まないため、前述した条件（ｂ）、（ｃ）の自セルのＣＧＩを含むＮＣＲリストに当たらないため、前述した図１０のステップＳ７１において取得できない。従って、ＮＣＲリストＴ０１−４が属するセルのＰＣＩとＮＣＲリストＴ０１−４に含まれるＰＣＩが回避すべきＰＣＩとして抽出できないことになる。
【００６９】
一方、セルＡを持つ基地局ｅＮＢ２０−１のセルＡに仮ＰＣＩとして＃４４を設定して電波を発射した場合、基地局ｅＮＢ２０−４は、ＮＣＲリストＴ０１−４内にＰＣＩ＝＃４４のデータが保持されていないため、ＰＣＩの混同が発生しないことが判る。前述した図５と図６の方法によって、基地局ｅＮＢ２０−４は、移動局ＵＥ３０−３からこのＰＣＩデータが受信することができたことの報告があった場合に、このＰＣＩデータはＮＣＲリストＴ０１−４内に含まれていないため、セルＤのＮＣＲリストＴ０１−４内に、セルＡの仮ＰＣＩとしての＃４４のデータとセルＡのＣＧＩを取込む。これにより、ＮＣＲリストＴ０１−４はセルＡのＣＧＩを含み、前述した条件（ｂ）、（ｃ）の自セルのＣＧＩを含むＮＣＲリストに当たるため、前述した図１０のステップＳ７１において取得される。従って、ＮＣＲリストＴ０１−４が属するセルのＰＣＩとＮＣＲリストＴ０１−４に含まれるＰＣＩが回避すべきＰＣＩとして抽出されることになる。ここで、あるＮＣＲリストが、＃２を含む確率、＃２２を含む確率、＃２と＃２２との両方を含む確率を比較すると、＃２と＃２２との両方を含む確率が最も小さい。また、＃２と＃２２と＃４４との全てを含む確率は更に小さくなる。従って、１つの仮ＰＣＩ（ここでは＃２または＃２２または＃４４）だけで、図７の手順を実施するよりも、できるだけ多くの仮ＰＣＩを用いて図７の手順を実施する方が、回避すべきＰＣＩを抽出するためのＮＣＲリストを取得することができないケースを減らすことができる。これによって、本発明の実施形態のＰＣＩの衝突、混同を生じることのないＰＣＩを選択することの信頼性を向上させることができる。
【００７０】
図１３は複数の仮ＰＣＩを利用する場合のＰＣＩ再設定の処理動作を説明するフローチャートであり、次に、これについて説明する。
【００７１】
（１）オペレータは、新基地局の建設や、既設セルの無線パラメータの変更、既設セル周辺の地物の変化等の電波環境の変化がある場合に、ＰＣＩの衝突やＰＣＩの混同が新たに起こらないように、セル識別子再選択の処理をシステムに開始させ、電波環境の変化の中心となるセル（新基地局のセル、無線パラメータを変更するセル、地物変化の影響を大きく受けるセル）を持つ基地局ｅＮＢ内のそのセルに対応するＰＣＩを仮のＰＣＩに変更する。この仮のＰＣＩとして用いるＰＣＩは、それ自体がＰＣＩの衝突やＰＣＩの混同を起こさないＰＣＩが望ましい。例えば、すでに説明したように、ここでの処理のために予約したＰＣＩを仮のＰＣＩとする方法がある（ステップＳ９０）。
【００７２】
（２）その後、十分な時間（例えば１週間）が経過すると、各セルに対応するＮＣＲリストが基地局ｅＮＢが有する自動隣接関係設定処理部ＡＮＲ２０３によって更新され、セルの周辺の電波環境の変化を反映したものとなる。そこで、図１０に示して詳細を後述する回避すべきＰＣＩの抽出処理を基地局制御装置ＥＭＳに実行させる（ステップＳ９１、Ｓ９２）。
【００７３】
なお、ここまでの処理は、図７に示すフローで説明したステップＳ６０〜Ｓ６２の処理と同一である。
【００７４】
（３）この回避すべきＰＣＩの抽出処理の後、回避すべきＰＣＩの抽出処理を規定の回数（例えば、３回）実行したか否かを判定して、規定の回数以内であった場合、回避すべきＰＣＩ以外から次の仮ＰＣＩを選択する。複数の仮ＰＣＩを利用する場合には、２つ目以降の仮ＰＣＩは、すでに抽出された回避すべきＰＣＩ以外から選択することが望ましい。なぜなら、回避すべきＰＣＩは、ＮＣＲリストを一部取得できない可能性が高いからである（ステップＳ９３）。
【００７５】
（４）ステップＳ９３の処理で、次の仮ＰＣＩを選択した後、再度、仮ＰＣＩを設定し、ステップＳ９１からの処理に戻って、システム内の基地局ｅＮＢのＮＣＲリストがＡＮＲ２０３によって十分に更新されるまで待つ処理に戻って処理を繰り返す（ステップ９４）。
【００７６】
（５）回避すべきＰＣＩの抽出処理が規定の回数実行されていた場合、回避すべきＰＣＩ以外から新しい仮ＰＣＩを選択し、再度、仮ＰＣＩを設定して、ここでの処理を終了する（ステップＳ９５、Ｓ９６）。
【００７７】
ＰＣＩの衝突や混同が発生する可能性を実際の電波環境から正しく知るためには、実際の基地局の設置状態と無線パラメータの設定の下に、システムを運用状態として電波を発射し、ＰＣＩの衝突や混同の発生有無を確認するか、何らかの手法によって電波の到達範囲、影響範囲などを解析してＰＣＩの衝突や混同の発生可能性を確認するような機能や方法が要求される。
【００７８】
次に、自セルの周辺セルにおいて周辺セル同士でＰＣＩの衝突や混同が発生している場合について説明する。
【００７９】
周辺セル同士でＰＣＩの衝突と混同が発生している場合、衝突や混同している周辺セル全てのデータがＮＣＲリストに取り込まれないことがあるが、条件（ａ）によっては、それらの周辺セルに共通するＰＣＩが抽出される。これは回避すべきＰＣＩは正しく抽出できることを意味する。また、自セルのＰＣＩ自体が衝突や混同を発生しているのでなければ、前述した図５、６の方法によって自セルのＣＧＩは取り込まれるため、条件（ｂ）、（ｃ）によっては、正しくＮＣＲリストを取得することができる。これは、本実施形態の回避すべきＰＣＩの抽出処理の動作にも、本発明の目的にも、差し障らない。周辺セル同士でＰＣＩの衝突や混同が発生していなかった場合でも、新しい自セルのＮＣＲリストにおいて周辺セル同士でＰＣＩの混同が発生する場合があるが、その場合でも、条件（ａ）によっては、それらの周辺セルに共通するＰＣＩが抽出される。これも同じく、本実施形態の回避すべきＰＣＩの抽出処理の動作にも、本発明の目的にも、差し障らない。
【００８０】
本発明はＰＣＩの衝突や混同の検出を目的としていないため、周辺セル同士のＰＣＩの衝突や混同を検出することはできない。一方で、周辺セル同士でのＰＣＩの衝突と混同を解決するためには、本発明の実施形態を当該の周辺セルにおいても実施することによって解決することができる。しかし、その実施するセルの選択方法は、本発明の範囲外である。
【００８１】
前述した本発明の実施形態によれば、前者の方法であるＰＣＩの衝突や混同がすでに発生していることを検知するための機能を実装することなく、また、後者の方法であるＰＣＩの衝突や混同を机上シミュレーション等により推定することなく、実際に電波の発射を開始したり諸々の無線パラメータを変更して運用を開始した後の実運用設定における電波環境に即して、ＰＣＩの衝突や混同を起こさないＰＣＩ、あるいは、ＰＣＩの衝突や混同を起こしにくいＰＣＩを選択し、選択したＰＣＩをセルに設定することができる。
【符号の説明】
【００８２】
１０  基地局制御装置（ＥＭＳ）
２０−１〜２０−４  無線基地局（ｅＮＢ）
３０−１〜３０−５  移動局（ＵＥ）
１００  基地局制御部
１０１  基地局データ管理制御部
１０２  セルＤＢ
１０３  ＮＣＲＤＢ
２０１、３０１  無線装置
２０２、３０２  通信処理部
２０３  自動隣接関係設定処理部
２０４  ハンドオーバ処理部
３０３  測定処理部
Ｔ０１−１〜Ｔ０１−３  ＮＣＲリスト
【図１】
0005689761.tif 000002
【図２】
0005689761.tif 000003
【図３】
0005689761.tif 000004
【図４】
0005689761.tif 000005
【図５】
0005689761.tif 000006
【図６】
0005689761.tif 000007
【図７】
0005689761.tif 000008
【図８】
0005689761.tif 000009
【図９】
0005689761.tif 000010
【図１０】
0005689761.tif 000011
【図１１】
0005689761.tif 000012
【図１２】
0005689761.tif 000013
【図１３】
0005689761.tif 000014